(57)【要約】【課題】  集塵蓋を閉じるときの紙パックの噛み込みを確実に防ぐことができる電気掃除機を提供する。【解決手段】  集塵用紙パック１０を装着可能な集塵室１２を備え、当該集塵室１２の開口が集塵蓋で開閉自在に密閉される電気掃除機において、集塵室１２の開口縁１６から突出して、当該開口縁１６と集塵蓋間への紙パック１０の噛み込みを防止する噛み込み防止部材を備えた。この噛み込み防止部材は、集塵室１２内の両側壁にそれぞれ開口縁１６に沿うように複数形成されて開口縁１６を超えて突出するリブ１７から成る。【選択図】        図３
2007054269.tif 000002
【特許請求の範囲】
【請求項１】
集塵用紙パックを装着可能な集塵室を備え、当該集塵室の開口が集塵蓋で開閉自在に密閉される電気掃除機において、
前記集塵室の開口縁から突出して、当該開口縁と前記集塵蓋間への前記紙パックの噛み込みを防止する噛み込み防止部材を備えたことを特徴とする電気掃除機。
【請求項２】
前記噛み込み防止部材は、前記集塵室内の両側壁にそれぞれ開口縁に沿うように複数形成されて開口縁を超えて突出するリブから成ることを特徴とする請求項１記載の電気掃除機。
【請求項３】
前記集塵室は、前記集塵用紙パックに替えてサイクロン方式のダストボックスが装着可能に構成されて成ると共に、前記噛み込み防止部材は前記ダストボックの位置決め機能を併せ持つことを特徴とする請求項１又は請求項２記載の電気掃除機。
【請求項４】
前記集塵室は、前記集塵用紙パックに替えてサイクロン方式のダストボックスが装着可能に構成されて成ると共に、当該集塵室内に集塵用紙パック及びダストボックスのいずれも未装着のときに前記集塵蓋による集塵室開口の閉鎖を阻止する単一の機構を備えたことを特徴とする請求項１ないし請求項３のいずれかに記載の電気掃除機。
【請求項５】
前記単一の機構として、前記集塵用紙パックの着脱時に回動操作されると共に前記集塵蓋と関わり合うクランプボタンを、前記ダストボックスの着脱時にも当該ダストボックスに当接しながらほぼ同様に回動するように構成したことを特徴とする請求項４記載の電気掃除機。
【請求項６】
前記集塵用紙パックの装着用台紙の左右位置決め機構を前記集塵室内の両側壁で構成したことを特徴とする請求項１ないし請求項５のいずれかに記載の電気掃除機。
【請求項７】
前記集塵室は、掃除機本体の下ケース上に取り付けられる集塵ケースによって形成されると共に、前記集塵用紙パックの装着用台紙の左右位置決め機構を前記集塵ケース内の両側壁で構成したことを特徴とする請求項６記載の電気掃除機。
【発明の詳細な説明】
【技術分野】
【０００１】
本願発明は、集塵用紙パックを装着可能な集塵室を備えた電機掃除機に関するものである。
【背景技術】
【０００２】
従来より、集塵用紙パックを装着可能な集塵室を備えた電機掃除機が良く知られており（例えば、特許文献１参照）、紙パックが装着された集塵室は集塵蓋で開閉自在に密閉されるようになっている。
【０００３】
特許文献１に示された集塵室内の両側壁には、その図５に示されているように内側に向けて突出する複数のリブが形成されており、これにより紙パックが塵埃を集塵して大きく膨らんでも、集塵室内の両側壁との間に隙間を持たせて密着するのを防げるようになっている。
【特許文献１】特開平７−８８０６０号公報
【発明の開示】
【発明が解決しようとする課題】
【０００４】
ところで、掃除機本体は年々小型化やスリム化が図られており、それに応じて集塵室の幅も狭くなってきている。しかし、紙パックを各機種毎にそれぞれの集塵室に合わせたものを用意することはコスト高となることから、複数の機種に共通の紙パックが用いられている。
【０００５】
このような状況において、掃除機本体の小型化やスリム化によって、それに対応してより幅狭に形成された集塵室に、それまでのより幅広の集塵室に合わせた紙パックが用いられると、塵埃を集塵して膨らんだ紙パックの両側上部が集塵室の開口縁からはみ出し、集塵蓋を閉じたときに噛み込んでしまう課題が生じてきた。
【０００６】
なお、特許文献１に示された集塵室内のリブは、前述したように紙パックが塵埃を集塵して大きく膨らんでも集塵室内の両側壁との間に隙間を持たせて密着するを防ぐためのもので、紙パックが集塵室の開口縁からはみ出すような場合の噛み込みを防止することはできない。
【０００７】
そこで、本願発明はこのような課題を解決するためになされたものであり、集塵蓋を閉じるときの紙パックの噛み込みを確実に防ぐことができる電気掃除機を提供することを目的とするものである。
【課題を解決するための手段】
【０００８】
上記のような目的を達成するために、本願発明は、集塵用紙パックを装着可能な集塵室を備え、当該集塵室の開口が集塵蓋で開閉自在に密閉される電気掃除機において、前記集塵室の開口縁から突出して、当該開口縁と前記集塵蓋間への前記紙パックの噛み込みを防止する噛み込み防止部材を備えたことを特徴とするものである。
【０００９】
また、前記噛み込み防止部材は、前記集塵室内の両側壁にそれぞれ開口縁に沿うように複数形成されて開口縁を超えて突出するリブから成ることを特徴とするものである。
【００１０】
さらに、前記集塵室は、前記集塵用紙パックに替えてサイクロン方式のダストボックスが装着可能に構成されて成ると共に、前記噛み込み防止部材は前記ダストボックの位置決め機能を併せ持つことを特徴とするものである。
【００１１】
また、前記集塵室は、前記集塵用紙パックに替えてサイクロン方式のダストボックスが装着可能に構成されて成ると共に、当該集塵室内に集塵用紙パック及びダストボックスのいずれも未装着のときに前記集塵蓋による集塵室開口の閉鎖を阻止する単一の機構を備えたことを特徴とするものである。
【００１２】
また、前記単一の機構として、前記集塵用紙パックの着脱時に回動操作されると共に前記集塵蓋と関わり合うクランプボタンを、前記ダストボックスの着脱時にも当該ダストボックスに当接しながらほぼ同様に回動するように構成したことを特徴とするものである。
【００１３】
さらに、前記集塵用紙パックの装着用台紙の左右位置決め機構を前記集塵室内の両側壁で構成したことを特徴とするものである。
【００１４】
また、前記集塵室は、掃除機本体の下ケース上に取り付けられる集塵ケースによって形成されると共に、前記集塵用紙パックの装着用台紙の左右位置決め機構を前記集塵ケース内の両側壁で構成したことを特徴とするものである。
【発明の効果】
【００１５】
本願発明によれば、集塵室の開口縁から突出して当該開口縁と集塵蓋間への紙パックの噛み込みを防止する噛み込み防止部材を備えたことにより、掃除機本体の小型化やスリム化によって、それに対応してより幅狭に形成された集塵室に、それまでのより幅広の集塵室に合わせた紙パックが用いられても、集塵蓋を閉じるときの紙パックの噛み込みを確実に防ぐことができる。
【００１６】
また、前記噛み込み防止部材は、集塵室内の両側壁にそれぞれ開口縁に沿うように複数形成されて開口縁を超えて突出するリブから成るものであるから、比較的簡単な構成かつ低コストで、集塵蓋を閉じるときの紙パックの噛み込みを確実に防ぐことができる。
【００１７】
さらに、前記集塵室は、集塵用紙パックに替えてサイクロン方式のダストボックスが装着可能に構成されて成ると共に、前記噛み込み防止部材はダストボックの位置決め機能を併せ持つように構成したことにより、紙パック方式とサイクロン方式の両用の集塵室を備えた掃除機本体の構造の簡素化及び小型化やスリム化を図ることが可能となる。
【００１８】
また、前記集塵室は、集塵用紙パックに替えてサイクロン方式のダストボックスが装着可能に構成されて成ると共に、当該集塵室内に集塵用紙パック及びダストボックスのいずれも未装着のときに集塵蓋による集塵室開口の閉鎖を阻止する単一の機構（以下、ポカ避け機構と称す）を備えたことにより、紙パック方式とサイクロン方式の両用の集塵室を備えた掃除機本体におけるポカ避け機構の部品点数及びスペースが削減でき、コストダウン及び小型化やスリム化を図ることが可能となる。
【００１９】
また、前記単一のポカ避け機構として、集塵用紙パックの着脱時に回動操作されると共に集塵蓋と関わり合うクランプボタンを、ダストボックスの着脱時にも当該ダストボックスに当接しながらほぼ同様に回動するように構成したことにより、クランプボタンを有効利用すると共に使い勝手を損なうことなく、紙パック方式とサイクロン方式の両用の集塵室を備えた掃除機本体におけるポカ避け機構の部品点数及びスペースが削減でき、コストダウン及び小型化やスリム化を図ることが可能となる。
【００２０】
さらに、集塵用紙パックの装着用台紙の左右位置決め機構を集塵室内の両側壁で構成したことにより、一般的な左右位置決めリブを形成する場合に比べて、金型構造上無理なく掃除機本体の小型化やスリム化が可能となる。
【００２１】
また、前記集塵室は、掃除機本体の下ケース上に取り付けられる集塵ケースによって形成されると共に、集塵用紙パックの装着用台紙の左右位置決め機構を集塵ケース内の両側壁で構成したことにより、集塵ケース内に左右位置決めリブを形成する場合に比べて、金型構造上無理なく集塵ケースの小型化やスリム化が可能となることから、掃除機本体の小型化やスリム化も可能となる。
【発明を実施するための最良の形態】
【００２２】
以下、本願発明の実施形態を図面を参照して詳細に説明する。
【００２３】
図１は、本願発明の一実施形態の電気掃除機における掃除機本体の外観を示す斜視図、図２はその中央縦断面図である。
【００２４】
このキャニスター型の掃除機本体１の外郭は、下ケース２及び上ケース３と、上ケース３の前側上面に開口する後述の集塵室の上面開口を開閉自在に密閉する集塵蓋４と、図示しない延長管や床用吸込具が連結されたホースが差し込まれる差込口５を有する前カバー６とから形成されている。
【００２５】
掃除機本体１の底面前側中央部にはキャスター式の小径の前輪７が備えられ、両側面後側には大径の後輪８が備えられている。また、掃除機本体１の上面側における集塵蓋４の後側には、掃除機本体持ち運び用のハンドル９が回動自在に備えられている。
【００２６】
掃除機本体１内には、前部に集塵用の紙パック１０（図３参照）及びサイクロン方式のダストボックス１１（図２，図４，図５参照）のいずれでも装着可能な両用の集塵室１２が形成され、後部には電動送風機１３が収納された電動送風機室１４が形成されている。
【００２７】
サイクロン方式のダストボックス１１は、図５に示すように、前面側の下部に吸込口１１ａを有し、内部にはサイクロン方式の集塵部１１ｂが形成され、背面側に塵埃を廃棄するときに開放されるフィルタ枠１１ｃが設けられ、上面側にはハンドル部１１ｄが備えられている。このハンドル部１１ｄの前縁には、後述するポカ避け機構に関連する凹部１１ｅが形成されている。
【００２８】
集塵室１２は、下ケース２上の前部にネジ止め固定される集塵ケース１５（図６参照）によって形成される。この集塵室１２（集塵ケース１５）には、その開口縁１６と集塵蓋４間への紙パック１０の噛み込みを防止する噛み込み防止部材として、集塵室１２（集塵ケース１５）内の両側壁にそれぞれ開口縁１６に沿うように前後に間隔をおいて２個ずつ形成されて開口縁１６を超えて突出するリブ１７が設けられている。この噛み込み防止リブ１７は、図３（集塵蓋４は省略）に示すように集塵室１２に装着された紙パック１０が塵埃を集塵して膨らんだときに、紙パック１０を両側から抑えるようにして両側への膨らみ過ぎを抑制することにより紙パック１０が開口縁１６からはみ出すのを防いで、噛み込みを確実に防止するように構成されている。
【００２９】
また、この噛み込み防止リブ１７は、図４（集塵蓋４は省略）に示すように集塵室１２にサイクロン方式のダストボックス１１が装着されるときには、ダストボックス１１のガタつき等を防止する位置決め機能を併せ持つように構成されている。
【００３０】
一方、集塵室１２の最前部には、前述したホース差込口５に連通する吸引口１８が形成され、この吸引口１８にはパッキン１９が装着されている。吸引口１８の上方には、図８に示すように、紙パック１０の装着用台紙１０ａの上下方向の位置決めと、台紙１０ａに形成された吸込口１０ｂの周縁を前記吸引口１８のパッキン１９に密接した状態に台紙１０ａを固定するクランプフック２０ａを有して回動自在に取り付けられたクランプボタン２０が設けられている。
【００３１】
上記クランプボタン２０は、図７に示すように、集塵室１２に紙パック１０及びダストボックス１１のいずれも装着されていないときは、バネ等により付勢されて後方に傾斜した状態となって、クランプボタン２０に集塵蓋４のポカ避けリブ４ａが当たり、集塵蓋４が閉まらないように構成されている。
【００３２】
また、図８に示すように集塵室１２に紙パック１０が装着されているときは、紙パック１０の台紙１０ａを固定するために回動操作されるクランプボタン２０が前方に傾斜して、集塵蓋４のポカ避けリブ４ａが当たらない位置に回動しており、集塵蓋４が閉まるように構成されている。
【００３３】
さらに、集塵室１２にダストボックス１１が装着されるときは、図９〜図１２に示すようにクランプボタン２０がダストボックス１１の吸込口１１ａ周縁とハンドル部１１ｄ前縁に当接しながら自動的に前記紙パック装着時とほぼ同様に回動して、図１３，図１４に示すように集塵蓋４のポカ避けリブ４ａが当たらない位置にあり、図１４に示すように集塵蓋４が閉まるように構成されている。このとき、ハンドル部１１ｄは、その前縁に形成された凹部１１ｅによりポカ避けリブ４ａに当たらないような構成になっている。
【００３４】
すなわち、本実施形態では、集塵室１２内に紙パック１０及びダストボックス１１のいずれも未装着のときに集塵蓋４による集塵室１２開口の閉鎖を阻止する単一のポカ避け機構を備えている。そして、この単一のポカ避け機構として、紙パック１０の着脱時に回動操作されると共に集塵蓋４のポカ避けリブ４ａと関わり合うクランプボタン２０を有効利用して、ダストボックス１１の着脱時にも当該ダストボックス１１に当接しながらほぼ同様に回動するように構成したものである。
【００３５】
また、本実施形態においては、紙パック１０の台紙１０ａの左右位置決め機構を集塵室１２内の両側壁で構成している。具体的には、図１５〜図１７に示すように、集塵室１２を形成する集塵ケース１５におけるクランプボタン２０が設けられた位置の両側壁１５ａ，１５ａで紙パック１０の台紙１０ａの左右位置決めを行えるように構成している。この両側壁１５ａ，１５ａは、図１６に示すように下部側が台紙１０ａの幅に一致し、上部側が徐々に広くなるように形成しているので、両側壁１５ａで位置決めしても台紙１０の挿入は容易に行えるように工夫している。
【００３６】
また、図１８に示すように、集塵室１２と電動送風機室１４を連通する開口部には格子状のエアインレットカバー２１が取り付けられており、ここに微塵フィルタがフィルタ枠体に保持されたフィルタフィクスチャ２２が着脱自在に装着されるが、このフィルタフィクスチャ２２の下辺の係止爪２２ａを受ける爪受けを、本実施形態ではエアインレットカバー２１と集塵ケース１５との間に形成される凹部２３により構成している。
【００３７】
一般に、上記のようなフィルタフィクスチャ２２の係止爪２２ａを受ける爪受けを設ける場合、エアインレットカバー２１又は集塵ケース１５のいずれかの部品にアンダーカットによる凹部を形成する必要があり、アンダーカットを形成するには金型にスライダーを追加しなければならず、金型が複雑になる。
【００３８】
すなわち、図１８（ｂ）は従来の構成例を示し、この従来例ではエアインレットカバー２１にアンダーカットによる爪受け孔２１ａを形成しているが、アンダーカットが必要な部品（ここではエアインレットカバー２１）に金型でスライダーが必要となる。一方、本実施形態では、図１８（ａ）の要部を図１８（ｃ）に拡大して示すように、集塵ケース１５の下部後端側に形成される段部１５ｂとエアインレットカバー２１の下部前端２１ｂとで、フィルタフィクスチャ２２の下辺の係止爪２２ａを受ける爪受け凹部２３を形成している。このように、アンダーカット部を２部品で構成することにより、金型でのスライダーが不要となり、金型構造の簡易化が実現できる。
【００３９】
また、本実施形態のように、紙パック１０及びサイクロン方式のダストボックス１１の両用の集塵室１２を備えると共に、この集塵室１２が下ケース２上にネジ止め固定される集塵ケース１５で形成されるものにおいては、集塵室１２（集塵ケース１５）の底部に、ネジ止め用のネジボスを形成すると共に、ダストボックス１１が前後に移動して前後のパッキンの密閉度が損なわれるのを防ぐために前後方向の位置決め構成が必要となる。
【００４０】
しかしながら、集塵室１２（集塵ケース１５）内のネジボスは紙パック１０を破る可能性があるので、応力が集中しない形状（面状）にする必要があり、ダストボックス１１の位置決め構成を含めると、集塵室１２（集塵ケース１５）内の構成が複雑になり、空間も制限されてしまう。
【００４１】
そこで、本実施形態では、集塵室１２（集塵ケース１５）内のネジボスを紙パック１０の破れ防止のため面状にすると共に、ダストボックス１１の位置決めも兼ねるように構成したものである。
【００４２】
すなわち、通常、ネジ止めには図１９（ｂ）に示すように小さな円形のネジボス１５ｃが用いられるが、このように構成すると、紙パック１０が塵埃を集塵して膨らんだときに小さな円形のネジボス１５ｃに当たって応力集中しやすく破れやすくなる。そこで、本実施形態では、図１９（ａ），（ｃ）に示すように集塵室１２の幅方向に横長の面状のネジボス１５ｄとすると共に、その後端縁１５ｅでダストボックス１１の位置決めも行えるように構成したものである。
【００４３】
このように構成することにより、紙パック１０を用いるときは図２０に示すように紙パック１０が塵埃を集塵して膨らんでも、膨らんだ紙パック１０に当たるネジボス１５ｄ面が広いので、応力集中しにくく破れにくくなる。また、ダストボックス１１を用いるときは、図２１に示すよに、ダストボックス１１の前後方向の位置決めをネジボス１５ｄの後端縁１５ｅで兼ねることができる。
【００４４】
以上のように、本実施形態によれば、集塵室１２の開口縁１６と集塵蓋４間への紙パック１０の噛み込みを防止する噛み込み防止部材として、集塵室１２内の両側壁にそれぞれ開口縁１６に沿うように複数形成されて開口縁１６を超えて突出する噛み込み防止リブ１７を備えたことにより、掃除機本体１の小型化やスリム化によって、それに対応してより幅狭に形成された集塵室１２に、それまでのより幅広の集塵室に合わせた紙パック１０が用いられても、比較的簡単な構成かつ低コストで、集塵蓋４を閉じるときの紙パック１０の噛み込みを確実に防ぐことができる。
【００４５】
さらに、本実施形態のように集塵室１２を紙パック方式とサイクロン方式の両用とした場合、紙パック１０の噛み込み防止リブ１７と、サイクロン方式のダストボックス１１の位置決めリブを別々に構成すると、構造が複雑になり、小型化やスリム化を妨げることになる。これに対して、本実施形態においては、紙パック１０の噛み込み防止部材としてのリブ１７はダストボックス１１の位置決め機能を併せ持つように構成されているので、紙パック方式とサイクロン方式の両用の集塵室１２を備えた掃除機本体１の構造の簡素化及び小型化やスリム化を図ることが可能となる。
【００４６】
また、集塵室１２を紙パック方式とサイクロン方式の両用とした場合、ポカ避け機構をそれぞれに個別に対応する複数の部品で構成すると、部品及び組立費のコストアップと機構を構成するスペースの確保が必要となり、小型化やスリム化の妨げとなる。これに対して、本実施形態においては、集塵室１２内に紙パック１０及びダストボックス１１のいずれも未装着のときに集塵蓋４による集塵室１２開口の閉鎖を阻止する単一のポカ避け機構を備えたことにより、紙パック方式とサイクロン方式の両用の集塵室１２を備えた掃除機本体１におけるポカ避け機構の部品点数及びスペースが削減でき、コストダウン及び小型化やスリム化を図ることが可能となる。
【００４７】
また、上記単一のポカ避け機構として、紙パック１０の着脱時に回動操作されると共に集塵蓋４のポカ避けリブ４ａと関わり合うクランプボタン２０を、ダストボックス１１の着脱時にも当該ダストボックス１１に当接しながらほぼ同様に回動するように構成したことにより、クランプボタン２０を有効利用すると共に使い勝手を損なうことなく、紙パック方式とサイクロン方式の両用の集塵室１２を備えた掃除機本体１におけるポカ避け機構の部品点数及びスペースが削減でき、コストダウン及び小型化やスリム化をを図ることが可能となる。
【００４８】
また、紙パック１０の台紙１０ａの左右位置決め機構を集塵室１２（集塵ケース１５）内の両側壁１５ａ，１５ａで構成したことにより、集塵室１２（集塵ケース１５）内に左右位置決めリブを形成する場合に比べて、金型構造上無理なく集塵ケース１５の小型化やスリム化が可能となることから、掃除機本体１の小型化やスリム化も可能となる。
【００４９】
さらに、集塵室１２と電動送風機室１３間のエアインレットカバー２１に着脱自在に装着されるフィルタフィクスチャ２２の下辺の係止爪２２ａを受ける爪受けを、エアインレットカバー２１と集塵ケース１５との間に形成される凹部２３により構成したので、金型でのアンダーカット部を形成するためのスライダーが不要となり、金型構造の簡易化が実現できる。
【００５０】
また、集塵室１２（集塵ケース１５）内のネジボス１５ｄを紙パック１０の破れ防止のため面状にすると共に、ダストボックス１１の前後方向の位置決めも兼ねるように構成したので、紙パック破れ防止と共に、更なる構造の簡素化、小型化やスリム化を実現することができる。
【図面の簡単な説明】
【００５１】
【図１】本願発明の一実施形態の電気掃除機における掃除機本体の外観を示す斜視図。
【図２】その中央縦断面図。
【図３】上記実施形態において紙パックを用いた場合の状態を分かりやすく示すため集塵蓋を省略して示した斜視図。
【図４】同じくダストボックスを用いた場合の状態を分かりやすく示すため集塵蓋を省略して示した斜視図。
【図５】上記ダストボックスの斜視図。
【図６】集塵ケースの斜視図。
【図７】集塵室内に紙パック及びダストボックのいずれも未装着の時のポカ避け機構の作用を示す図。
【図８】集塵室内に紙パックが装着されている時のポカ避け機構の作用を示す図。
【図９】集塵室内にダストボックを装着する時のポカ避け機構の作用を示す図。
【図１０】同じく、集塵室内にダストボックを装着する時のポカ避け機構の作用を示す図。
【図１１】同じく、集塵室内にダストボックを装着する時のポカ避け機構の作用を示す図。
【図１２】同じく、集塵室内にダストボックが装着された状態でのポカ避け機構の作用を示す図。
【図１３】同じく、集塵室内にダストボックが装着された状態でのポカ避け機構の作用を示す図。
【図１４】同じく、集塵室内にダストボックが装着された状態でのポカ避け機構の作用を示す図。
【図１５】集塵室（集塵ケース）内に紙パックが装着された状態を示す上面図。
【図１６】同じく、紙パックの台紙が両側壁によって左右位置決めされている状態を示す縦断面図。
【図１７】同じく、紙パックの台紙が両側壁によって左右位置決めされている状態を示す横断面図。
【図１８】フィルタフィクスチャの係止爪の爪受け構成を示す縦断面図。
【図１９】集塵室（集塵ケース）底部のネジボス構成を示す上面図。
【図２０】上記ネジボス構成で、紙パック破れ防止の作用を示す図。
【図２１】同じく上記ネジボス構成で、ダストボックスの前後方向位置決めの作用を示す図。
【符号の説明】
【００５２】
１  掃除機本体
２  下ケース
３  上ケース
４  集塵蓋
４ａ  ポカ避けリブ
５  差込口
６  前カバー
９  ハンドル
１０  紙パック
１０ａ  台紙
１１  ダストボックス
１２  集塵室
１５  集塵ケース
１５ａ  側壁（左右位置決め機構）
１５ｂ  段部
１５ｄ  ネジボス
１６  開口縁
１７  噛み込み防止リブ
１８  吸引口
１９  パッキン
２０  クランプボタン
２０ａ  クランプフック
２１  エアインレットカバー
２２  フィルタフィクスチャ
２２ａ  係止爪
２３  爪受け凹部
【図１】
2007054269.tif 000003
【図２】
2007054269.tif 000004
【図３】
2007054269.tif 000005
【図４】
2007054269.tif 000006
【図５】
2007054269.tif 000007
【図６】
2007054269.tif 000008
【図７】
2007054269.tif 000009
【図８】
2007054269.tif 000010
【図９】
2007054269.tif 000011
【図１０】
2007054269.tif 000012
【図１１】
2007054269.tif 000013
【図１２】
2007054269.tif 000014
【図１３】
2007054269.tif 000015
【図１４】
2007054269.tif 000016
【図１５】
2007054269.tif 000017
【図１６】
2007054269.tif 000018
【図１７】
2007054269.tif 000019
【図１８】
2007054269.tif 000020
【図１９】
2007054269.tif 000021
【図２０】
2007054269.tif 000022
【図２１】
2007054269.tif 000023